(57)【要約】      （修正有）【課題】逆光状態においても表示情報を充分に認識することができ、従来に比して視認性、判読性を大きく改善することができる道路標識を提供する。【解決手段】標識ハウジング４と、標識ハウジング４の前面側に設けられた表示体６と、標識ハウジング４の背面側に配設された採光手段３０と、を具備する道路標識。表示体６は、表示情報を表示するための開口を備えた表示プレート１８と、表示プレート１８の前記開口を塞ぐようにその背面側に配設された透光性反射シート２０と、表示プレート１８の表面側に配設された非透光性反射シート２２と、を含み、採光手段３０は、採光する透光性ドーム部材３２と、透光性ドーム部材３２から採光した光を反射させて表示体６側に導く反射導光部材３４とを含んでいる。この反射導光部材３４の導出側開口部には、光を拡散する光拡散部材を設けるのが望ましい。【選択図】図２
2014202018.tif 000002
【特許請求の範囲】
【請求項１】
標識ハウジングと、前記標識ハウジングの前面側に設けられた表示体と、前記標識ハウジングの背面側に配設された採光手段と、を具備し、
前記表示体は、表示情報を表示するための開口を備えた表示プレートと、前記表示プレートの前記開口を塞ぐようにその背面側に配設された透光性反射シートと、前記表示プレートの表面側に配設された非透光性反射シートと、を含み、
前記採光手段は、光を採光する透光性ドーム部材と、前記透光性ドーム部材から採光した光を反射させて前記表示体側に導く反射導光部材とを含むことを特徴とする道路標識。
【請求項２】
前記反射導光部材の導出側開口部には、前記反射導光部材を通して導かれた光を拡散する光拡散部材が配設されていることを特徴とする請求項１に記載の道路標識。
【請求項３】
前記透光性ドーム部材内には、採光した光を前記反射導光部材に向けて反射するための反射板が配設されていることを特徴とする請求項１又は２に記載の道路標識。
【請求項４】
前記透光性ドーム部材は、片側から他側に向けて外側に突出する略扁平半球状であり、その突出部が下側となるように前記標識ハウジングの背面側に取り付けられ、前記反射板はその反射面が上方を向くように前記透光性ドーム部材の前記突出部の内側に配設されることを特徴とする請求項３に記載の道路標識。
【請求項５】
前記透光性ドーム部材は略半球状であり、また前記標識ハウジングの背面側には導光ハウジングが設けられ、前記導光ハウジングの取付面は外側に向けて下方に傾斜しており、前記導光ハウジングの前記取付面に前記透光性ドーム部材が取り付けられ、前記反射板はその反射面が斜め下方を向くように前記透光性ドーム部材の内側に配設されることを特徴とする請求項３に記載の道路標識。
【請求項６】
前記表示体を背面側から照射するための照明手段が設けられ、前記照明手段は前記標識ハウジングと前記反射導光部材との間の収容空間に配設されていることを特徴とする請求項１〜５のいずれかに記載の道路標識。
【発明の詳細な説明】
【技術分野】
【０００１】
本発明は、一般道路、高速道路などに設置される道路標識に関する。
【背景技術】
【０００２】
道路標識は、表示情報が見やすいように構成され、例えばその表面に光を反射する光反射シートが貼着されているが、設置する場所、見る方向によって非常に見づらくなることがある。例えば、太陽が昇る朝（又は太陽が沈む夕方）においては、太陽の位置が東に低い（又は西に低い）位置にあり、太陽と道路に設置された道路標識とが同じ方向に位置するときには、太陽からの光が逆光状態となって非常に見づらくなる。即ち、この逆光状態によって、道路標識の周辺が眩しく輝いて見える一方、道路標識（表示体）の表面は暗く見え、道路標識の表示情報が非常に見づらくなり、道路標識の視認性、判読性が著しく低下する。
【０００３】
このようなことから、朝日（又は夕日）による逆光状態での視認性、判読性を改善させた道路標識も提案されている。例えば、道路標識の表示板に形成された表示情報（例えば、図形など）の部分に多数の孔を形成したもの（例えば、特許文１参照）、半透明シート体（表示情報が施されている）の背面側に間隔をおいて光散乱粒子混入板を設け、この光散乱粒子混入板の背面側に照明器具を設けたもの（例えば、特許文献２）などが提案されている。
【先行技術文献】
【特許文献】
【０００４】
【特許文献１】特開平７−２５９０２７号公報
【特許文献２】特開２００２−３１７４１１号公報
【発明の概要】
【発明が解決しようとする課題】
【０００５】
しかしながら、これらの道路標識においても、視認性、判読性の改善が不充分であり、更なる改善が望まれている。即ち、表示情報部分に多数の孔を設けたものにおいては、逆光状態になるとこれらの孔を通して光が通過するようになり、この通過した光によって道路標識の表示情報を認識することが可能となるが、これら孔を通過する光が弱いために、視認性、判読性を充分に改善することができない。また、照明器具を設けたものにおいては、逆光状態になると道路標識の背面側からの光が光散乱粒子混入板を通して半透明シート（表示情報が施されている）を背面側から照射するようになり、この背面側からの光によって道路標識の表示情報を認識することが可能となるが、光散乱粒子混入板の光透過率が２５〜６０％程度と低く、それ故に、半透明シートを背面側から照射する光が弱く、この場合においても視認性、判読性を充分に改善することができない。
【０００６】
本発明の目的は、逆光状態においても表示情報を充分に認識することができ、従来に比して視認性、判読性を大幅に改善することができる道路標識を提供することである。
【課題を解決するための手段】
【０００７】
本発明の請求項１に記載の道路標識は、標識ハウジングと、前記標識ハウジングの前面側に設けられた表示体と、前記標識ハウジングの背面側に配設された採光手段と、を具備し、
前記表示体は、表示情報を表示するための開口を備えた表示プレートと、前記表示プレートの前記開口を塞ぐようにその背面側に配設された透光性反射シートと、前記表示プレートの表面側に配設された非透光性反射シートと、を含み、
前記採光手段は、光を採光する透光性ドーム部材と、前記透光性ドーム部材から採光した光を反射させて前記表示体側に導く反射導光部材とを含むことを特徴とする。
【０００８】
また、本発明の請求項２に記載の道路標識では、前記反射導光部材の導出側開口部には、前記反射導光部材を通して導かれた光を拡散する光拡散部材が配設されていることを特徴とする。
【０００９】
また、本発明の請求項３に記載の道路標識では、前記透光性ドーム部材内には、採光した光を前記反射導光部材に向けて反射するための反射板が配設されていることを特徴とする。
【００１０】
また、本発明の請求項４に記載の道路標識では、前記透光性ドーム部材は、片側から他側に向けて外側に突出する略扁平半球状であり、その突出部が下側となるように前記標識ハウジングの背面側に取り付けられ、前記反射板はその反射面が上を向くように前記透光性ドーム部材の前記突出部の内側に配設されることを特徴とする。
【００１１】
また、本発明の請求項５に記載の道路標識では、前記透光性ドーム部材は略半球状であり、また前記標識ハウジングの背面側には導光ハウジングが設けられ、前記導光ハウジングの取付面は外側に向けて下方に傾斜しており、前記導光ハウジングの前記取付面に前記透光性ドーム部材が取り付けられ、前記反射板はその反射面が斜め下を向くように前記透光性ドーム部材の内側に配設されることを特徴とする。
【００１２】
更に、本発明の請求項６に記載の道路標識では、前記表示体を背面側から照射するための照明手段が設けられ、前記照明手段は前記標識ハウジングと前記反射導光部材との間の収容空間に配設されていることを特徴とする。
【発明の効果】
【００１３】
本発明の請求項１に記載の道路標識によれば、表示体は、表示情報を表示するための開口を備えた表示プレートと、この表示プレートの開口を塞ぐように配設された透光性反射シートと、表示プレートの表面側に配設された非透光性反射シートとを含んでいるので、透光性反射シートの色彩（例えば、白色系など）と非透光性反射シートの色彩（例えば、緑色系、青色系など）と異なる色彩にすることによって、表示情報を容易に視認、判別することができる。また、採光手段は、透光性ドーム部材及び反射導光部材を含んでいるので、逆光状態のときには、標識ハウジングの背面側から透光性ドーム部材を通して充分な光が採光され、この採光された光が反射導光部材を通して表示体の背面側に導かれた後に透光性反射シートを透過するので、採光手段により採光された光でもって、表示プレートの背面側から充分な照度でもって照射することができ、これによって、逆光状態においても充分な視認性、判読性を確保することができる。
【００１４】
また、本発明の請求項２に記載の道路標識によれば、反射導光部材の導出側開口部に光拡散部材が配設されているので、反射導光部材を通して導出側開口部に導かれた光はこの光拡散部材によって拡散され、これによって、表示体の背面側をほぼ均一に照射することができ、視認性、判別性の優れた道路標識を提供することができる。
【００１５】
また、本発明の請求項３に記載の道路標識によれば、透光性ドーム部材内に反射板が配設され、標識ハウジングの背面側から透光性ドーム部材を通して採光された光が反射板に反射されて反射導光部材に導かれるので、標識ハウジングの背面側からの光を効果的に集光して表示体の背面側を照射することができる。特に、逆光状態において充分な光を集光して照射することができるために、この逆光状態においても充分な視認性、判読性を確保することができる。
【００１６】
また、本発明の請求項４に記載の道路標識によれば、透光性ドーム部材は片側から他側に向けて外側に突出する略扁平半球状であり、その突出部が下側となるよう取り付けられ、反射板はその反射面が上方を向くように配設されるので、太陽が低い逆光状態における光を効率良く集光して反射導光部材に導くことができる。
【００１７】
また、本発明の請求項５に記載の道路標識によれば、透光性ドーム部材は略半球状であり、標識ハウジングの背面側に設けられた導光ハウジングの傾斜取付面に透光性ドーム部材が取り付けられ、この透光性ドーム部材の内側に斜め下方を向くように反射板が配設されるので、このようにしても太陽が低い逆光状態における光を効率良く集光して反射導光部材に導くことができる。
【００１８】
更に、本発明の請求項６に記載の道路標識によれば、標識ハウジングと反射導光部材との間の収容空間に照明手段が配設されているので、照明手段を点灯することによりその照明光が表示体の背面から照射され、これによって、夜間などにおいても表示体の表示情報が見やすくなり、夜間などにおける視認性、判別性を向上させることができる。また、照射手段が標識ハウジングと反射導光部材との間の収容空間に配設されるので、道路標識の奥行き（前後方向の厚さ）を小さくすることができ、道路標識自体のコンパクト化を図ることができる。
【図面の簡単な説明】
【００１９】
【図１】本発明に従う道路標識の第１の実施形態を示す斜視図。
【図２】図１におけるＩＩ−ＩＩ線による断面図。
【図３】本発明に従う道路標識の第２の実施形態を示す断面図。
【図４】本発明に従う道路標識の第３の実施形態を示す断面図。
【発明を実施するための形態】
【００２０】
以下、添付図面を参照して、本発明に従う道路標識の実施形態について説明する。まず、図１及び図２を参照して、道路標識の第１の実施形態について説明する。
【００２１】
図１及び図２において、図示の道路標識２は、前面（図２において左面）が開放された箱状の標識ハウジング４と、この標識ハウジング４の前面開口を覆うように配設された表示体６とを備えている。この形態では、標識ハウジング４は、矩形状の背面壁６と、この背面壁６の４辺部から前方に延びる上壁８、両側壁１０，１２及び底壁１４とを有し、これら背面壁６、上壁８，両側壁１０，１２及び底壁１４により前面側が開放された収容空間１６を規定する。
【００２２】
図示の表示体６は、文字、数字、記号、図形などから示される表示情報（図示の形態では、「京都」、「Ｋｙｏｔｏ」及び「出口」の文字と「→」の記号が表示情報を構成する）を表示するための表示プレート１８と、表示プレート１８の背面側（図２において右側）に配設された透光性反射シート２０と、この表示プレート１８の表面側（図２において左側）に配設された非透光性反射シート２２とを含んでいる。
【００２３】
この形態では、表示プレート１８は金属製プレート（例えば、アルミニウム製のもの）から構成され、レーザ加工などにより切り抜いて表示情報が施され、この表示情報に対応して表示開口２４が設けられている。透光性反射シート２０は、表示プレート１８の表示開口２４を覆うように、この表示プレート１８の背面側に貼着される。この透光性反射シート２０は、光を透過する性質を有し、後述するように、背面側からの光を透過するとともに、前面側（図２において左側）からの光を反射する反射特性を有している。このような透光性反射シート２０は、例えば白色系のものを用いることができ、このような白色系のものを用いることにより、表示プレート１８の表示情報が白色系の色彩でもって表示されるようになる。
【００２４】
また、非透光性反射シート２２には、表示プレート１８の表示開口２４と同じ形状の貫通開口２６が形成されており、この非透光性反射シート２２は、その貫通開口２６が表示プレート１８の表示開口２４に合致するように、この表示プレート１８の前面側に貼着される。この非透光性反射シート２２は、前面側からの光を反射する反射特性を有するが、背面側からの光を透光する透光性は有していない。このような非透光性反射シート２２は、透光性反射シート２０と異なる色彩系のもの、例えば緑色系、青色系のものを用いることができ、このような緑色系（又は青色系）のものを用いることにより、表示プレート１８の表示情報以外の周囲領域２８が緑色系（又は青色系）の色彩でもって示され、この周囲領域２８を背景にして表示プレート１８の表示情報が見えやすくなる。
【００２５】
この実施形態では、太陽の逆光状態における視認性、判読性を改善するために、更に次のように構成されている。主として図２を参照して、標識ハウジング４の背面側、即ちその背面壁６に採光手段３０が配設されている。図示の採光手段３０は、透光性ドーム部材３２及び反射導光部材３４を備えている。透光性ドーム部材３２は透光性を有し、外部からの光を透過して採光する。この透光性ドーム部材３２は、略半球状に構成され、その外周フランジ３６が標識ハウジング４の背面壁６に設けられた円形開口３８の周縁部に取り付けられる。このような透光性ドーム部材３２は、例えば合成樹脂、特殊ガラスなどから形成される。
【００２６】
また、反射導光部材３４は、薄い金属プレート（例えば、アルミニウムプレート）などを略円形状に曲げて構成され、透光性ドーム部材３２の内側にて標識ハウジング４の背面壁６の円形開口３８に取り付けられる。この反射導光部材３４の外径は、図２に示すように、透光性ドーム部材３２の取付部の内径とほぼ等しく、このように構成することによって、透光性ドーム部材３２を通して採光された光の全てが反射導光部材３４に導かれる。この反射導光部材３４の内周面には、例えば、反射加工を施したフィルムを貼着する、或いは銀を蒸着するなどして反射面が形成されている。
【００２７】
このように構成されているので、道路標識２の背面側からの光は、透光性ドーム部材３２を通して採光される。そして、採光された光は、反射導光部材３４の導入側開口部（透光性ドーム部材３２側の開口部）から導入され、その内周面（反射面として機能する）に反射されて表示体６側に導かれ、その導出側開口（表示体６側の開口部）から導出されて表示体６の背面側から照射する。
【００２８】
この形態では、更に、標識ハウジング４内に照明手段４０が配設されている。図示の照明手段４０は、複数の蛍光ランプ、例えば上蛍光ランプ４２及び下蛍光ランプ４４から構成され、上蛍光ランプ４２からの照射光は、表示体６の上半分を背面側から照射し、下蛍光ランプ４４からの照射光は、表示体６の下半分を背面側から照射し、このように照射することによって、表示体６の全域をほぼ均一に照射することができる。
【００２９】
上蛍光ランプ４２は、標識ハウジング６の収容空間１６の上端部、即ち標識ハウジング６の上壁８と反射導光部材３４との間の部位に配設され、また下蛍光ランプ４４は、この収容空間１６の下端部、即ち標識ハウジング６の底壁１４と反射導光部材３４との間の部位に配設され、このように構成することによって、上下の蛍光ランプ４２，４４と反射導光部材３４とが奥行き方向（図２において左右方向）に重なることがなく、これによって、標識ハウジング６の奥行き（図２において左右方向の長さ）を小さくすることができるとともに、反射導光部材３４からの光が上下の蛍光ランプ４２，４４によって遮られることもない。
【００３０】
尚、この実施形態では、照明手段４０を上蛍光ランプ４２及び下蛍光ランプ４４から構成しているが、このような構成に代えて、左右方向に配設された右蛍光ランプと左蛍光ランプにより構成してもよく、或いは上下の蛍光ランプ４２，４４と左右の蛍光ランプとの組合せにより構成してもよい。また、照明手段４０は、蛍光ランプ４２，４４に代えて、多数のＬＥＤからなるＬＥＤランプなどから構成するようにしてもよい。
【００３１】
この道路標識の昼間の使用状態においては、その背面側からの光は、採光手段３０の透光性ドーム部材３２を通して反射導光部材３４に導かれ、この反射導光部材３４の内周面に反射されて背面側から表示体６を照射し、透光性反射シート２０を透過する一方、この道路標識２の前面側からの光は、表示体４の非透過性反射シート２２及び透過性反射シート２０により反射され、従って、透光性反射シート２０の色彩（例えば、白色系の色彩）と非透光性反射シート２２の色彩（例えば、緑色系又は青色系の色彩）の相違によって、表示体６の表示情報を容易に視認、判読することができる。また、朝、夕方の逆光状態においても、太陽からの光が透光性ドーム部材３２を通して採光され、この採光された光が反射導光部材３４を通して背面側から表示体６を背面側から照射し、透光性反射シート２０を透過するようになる。このとき、太陽からの逆光により眩しくなり、表示体６が暗くなって見づらくなるが、背面側からの光が透光性反射シート２０を通過する故に、この表示体６の表示情報が明るくなる。特に、透光性ドーム部材２から光を採り入れ、取り入れた光を反射導光部材３４を通して表示体６側に導くたに、充分な光量でもって表示体６を照射することができ、表示情報の視認性、判読性を大幅に改善することができる。
【００３２】
また、夜間の使用状態においては、照明手段３０の上下の蛍光ランプ４２，４４が点灯され、これら蛍光ランプ４２，４４からの光が表示体６の背面側から照射し、かかる照明光が透光性反射シート２０を透過するために、表示体６の表示情報が明るく光るようになり、従って、夜間においても表示情報を容易に視認、判読することができる。尚、この照明手段３０に関連して受光センサを設け、この受光センサの受光量に基づいて照明手段３０を自動的に点灯制御するようにしてもよく、この場合、昼間などの受光量が多いときには照明手段３０を消灯し、夜間などの受光量が少ないときには照明手段３０を点灯するようにすればよい。
【００３３】
次に、図３を参照して、本発明に従う道路標識の第２の実施形態について説明する。この第２の実施形態においては、採光手段に修正が施されている。尚、以下の実施形態において、上述した第１の実施形態と実質上同一の部材には同一の参照番号を付し、その説明を省略する。
【００３４】
図３において、この第２の実施形態の道路標識２Ａにおいては、採光手段３０Ａの透光性ドーム部材３２Ａは、片側（図３において上側）から他側（図３において下側）に向けて外側に突出する略扁平半球状であり、その突出部５２が下側となるように標識ハウジング４の背面側に、具体的には透光性ドーム部材３２Ａの外周フランジ３６が背面壁６の円形開口３８の周縁部に取り付けられる。
【００３５】
この形態では、採光量を多くするために、透光性ドーム部材３２Ａの内側に、具体的には突出部５２の内側に反射板５４が配設されている。反射板５４は、透光性ドーム部材３２Ａの内面形状に沿って略円弧状に延びており、その内面に、反射導光部材３４と略同様の反射面を有している。この反射板５４は、図３に示すように、その反射面が上方を向くように配置され、例えば接着剤、両面テープなどによって透光性ドーム部材３２Ａの内面に固定的に取り付けられる。
【００３６】
このような透光性ドーム部材３２Ａを用いることによって、標識ハウジング６の背面壁６からの透光性ドーム部材３２Ａの突出量を小さくすることができ、道路標識２Ａ全体の奥行きを小さく抑えることができる。また、反射板５４を備えているので、透光性ドーム部材３２Ａを通しての採光量を多くすることが可能となり、また反射板５４が上方を向いて配置されることから逆光状態における採光量を多くすることができ、充分な光量でもって表示体６を裏面側から照射することができ、逆光状態における視認性、判読性を大幅に改善することができる。
【００３７】
また、この形態では、反射導光部材３４の導出側開口部に光拡散部材５６が配設されている。この光拡散部材５６は、反射導光部材３４から導出される光が表示体６の裏面をほぼ均一に照射するように所要の通りに拡散し、これによって、表示体６の表示情報の照射ムラを抑えて視認性を一層高めることができる。このような光拡散部材５６としては、所要の拡散パターンを施した合成樹脂部材、例えばフレネルレンズのパターンを施した合成樹脂プレートなどを用いることができる。この第２の実施形態の道路標識２Ａのその他の構成は、上述した第１の実施形態のものと実質上同一である。
【００３８】
この第２の実施形態の道路標識２Ａにおいても、その基本的構成が上述した第１の実施形態と実質上同一のあるので、上述したと同様の作用効果が達成される。加えて、採光手段３２Ａに上述した修正が施されているので、第２の実施形態特有の上述した作用効果が達成される。
【００３９】
次に、図４を参照して、本発明に従う道路標識の第３の実施形態について説明する。この第３の実施形態においても、採光手段に他の修正が施されている。
【００４０】
図４において、この第３の実施形態の道路標識２Ｂにおいては、採光手段３０Ｂは、採光した光を反射導光部材３４に導くための導光ハウジング６２を備えている。導光ハウジング６２は三角柱を横に置いているような形状であり、外側に向けて下方に傾斜して延びる上傾斜壁６４と、外側に向けて上方に傾斜して延びて上傾斜壁６４の先端部に接続される下傾斜壁６６と、上傾斜壁６４及び下傾斜壁６６の側部を閉塞する両側壁６８（図４において一方のみ示す）とを備え、この導光ハウジング６２の開口側は矩形状に形成されている。この導光ハウジング６２（上傾斜壁６４、下傾斜壁６６及び両側壁６８）の内面は、反射導光部材３４Ｂの内面と同様に反射面が形成されている。
【００４１】
このことに関連して、標識ハウジング２Ｂの背面壁６には、導光ハウジング６２の開口形状に対応した矩形開口３８Ｂが設けられ、この矩形開口３８Ｂの開口縁部に導光ハウジング６２のフランジ３６Ｂが取り付けられている。また、反射導光部材３４Ｂは、断面が矩形状に形成され、その導光側開口部が導光ハウジング６２の矩形開口３８Ｂに合致するように標識ハウジング６Ｂの背面壁６に取り付けられる。また、光拡散部材５６Ｂも反射導光部材３４Ｂの導出側開口部の形状に対応して矩形状に形成される。
【００４２】
この形態では、導光ハウジング６２の上傾斜面６４（取付面を構成する）に透光性ドーム部材３２Ｂが取り付けられている。上傾斜壁６４には円形開口７０が設けられ、この円形開口７０の周縁部に上述したと同様にして略半球状の透光性ドーム部材３２Ｂが取り付けられ、この透光性ドーム部材３２Ｂの上部内面に上述したと同様にして反射板５４Ｂが配設され、この反射板５４Ｂの反射面は斜め下方を向くように配置される。
【００４３】
この形態においては、透光性ドーム部材３２Ｂを通して採光された光は、図４に矢印で示すように、導光ハウジング６２の内面及び反射導光部材３４Ｂの内面に反射されて表示体６の背面側に導かれ、この表示体６を背面側から照射する。このとき、反射導光部材３４Ｂから導出される光は光拡散部材５６Ｂにより拡散されるために、表示体６の背面をほぼ均一に照射することができる。加えて、透光性ドーム部材３２Ｂが斜め下方に傾斜する上傾斜壁６４に取り付けられ、反射板５４Ｂが斜め下方を向いているので、朝、夕方の太陽が低いときには、この太陽からの光が効果的に集光されて導光ハウジング６２に向けて反射され、この導光ハウジング６２を介して反射導光部材３４Ｂに導かれ、かくして、逆光状態において充分な光量を確保することができ、このようにしても逆光状態における視認性、判読性を大幅に改善することができる。
【００４４】
以上、本発明に従う道路標識の実施形態について説明したが、本発明はこれら実施形態に限定されず、本発明の範囲を逸脱することなく種々の変更乃至修正が可能である。
【００４５】
例えば、上述した実施形態では、表示体として、表示プレートに表示情報に対応する表示開口を設け、この表示開口を覆うようにその背面側に透光性反射シート（例えば、白色系のもの）配設し、またこの表示開口と同じ形状の貫通開口を有する非透光性反射シート（例えば、緑色系のもの）をその表面側に設けた形態のものに適用して説明したが、このような構成に限定されず、表示プレートに表示情報を表示するための適宜の大きさの開口を設け、この開口を塞ぐように透光性プレートを設け、この透光性プレートの表面側に透光性反射シート（例えば、白色系のもの）を配設するとともに、この透光性反射シートの表面側に、表示情報に対応する表示開口を有する非透過性反射シートを配設し、更に表示プレートの開口に対応する貫通開口を有する非透光性反射シートをこの表示プレートの表面側に配設した形態のものにも同様に適用することができる。
【００４６】
また、上述した実施形態では、標識ハウジング内に照明手段を配設して夜間に表示体を背面側から照明しているが、このような照明が不要である場合、この照明手段を省略することができる。
【符号の説明】
【００４７】
２，２Ａ，２Ｂ道路標識
４，４Ａ，４Ｂ  標識ハウジング
６  表示体
１６  収容空間
１８  表示プレート
２０  透光性反射シート
２２  非透光性反射シート
２４  表示開口
３０，３０Ａ，３０Ｂ  採光手段
３２，３２Ａ，３２Ｂ  透光性ドーム部材
３４，３４Ｂ  反射導光部材
４０  照明手段
５４，５４Ｂ  反射板
５６，６５Ｂ  光拡散部材
６２  導光ハウジング
【図１】
2014202018.tif 000003
【図２】
2014202018.tif 000004
【図３】
2014202018.tif 000005
【図４】
2014202018.tif 000006